(57)【要約】【課題】登録された利用者の利用者属性情報に従って、宣伝効果映像が特定されると、会員非登録の利用者などの利用者属性が判断できない利用者を含むカラオケ装置の一人または複数の利用者に、宣伝効果が高い映像が特定されるとは限らない。宣伝効果映像は、利用者の登録有無および人数に関わらず、カラオケ装置を利用する利用者に合った映像であることが求められる。【解決手段】カラオケ装置によって再生される楽曲を示す楽曲リストから、カラオケ装置を利用する利用ユーザの対象属性を示す対象ユーザを判断し、判断された対象ユーザが提示対象とされた広告を、利用ユーザに提示する広告と決定する広告決定装置を提供することを目的とする。【選択図】        図８
2013250398.tif 000002
【特許請求の範囲】
【請求項１】
カラオケ装置と通信可能な広告決定装置であって、
カラオケ装置を利用する利用ユーザへ提示する広告情報と、前記広告情報を提示する対象が、複数種類の属性に分類されるユーザである混合ユーザ、または特定の属性に分類されるユーザである特定ユーザのいずれの対象ユーザであるかを示す対象属性とを対応付けて記憶する記憶部と、
前記カラオケ装置に予約される複数の楽曲に関連するユーザの属性を予約属性情報として含む楽曲リストを取得する取得部と、
前記取得部により取得された楽曲リストの予約属性情報に従って、前記カラオケ装置を利用する前記利用ユーザが、前記混合ユーザ、または前記特定ユーザのいずれの前記対象ユーザであるかを判断するユーザ判断部と、
前記ユーザ判断部により判断された前記対象ユーザを示す前記対象属性が対応付けられた広告情報を提示すると決定する決定部と、
を備えることを特徴とする広告決定装置。
【請求項２】
前記楽曲リストの前記予約属性情報は、予約される複数の楽曲について、前記楽曲を好むユーザの属性を示す楽曲属性情報を含み、
前記取得部により取得される前記楽曲リストのそれぞれの楽曲の前記楽曲属性情報が共通するか否かを判断する属性判断部を備え、
前記ユーザ判断部は、前記属性判断部により、前記楽曲属性情報が共通すると判断されないとき、前記利用ユーザについて、前記対象ユーザが混合ユーザであると判断し、
前記決定部は、前記ユーザ判断部により前記対象ユーザが混合ユーザであると判断されたとき、前記対象属性として前記混合ユーザが対応付けられた前記広告情報を提示すると決定する
ことを特徴とする請求項１に記載の広告決定装置。
【請求項３】
前記楽曲リストの前記予約属性情報は、予約される複数の楽曲について、前記楽曲を好むユーザの属性を示す楽曲属性情報を含み、
前記取得部により取得される前記楽曲リストのそれぞれの楽曲の前記楽曲属性情報が共通するか否かを判断する属性判断部を備え、
前記ユーザ判断部は、前記属性判断部により前記楽曲属性情報が共通すると判断されるとき、前記利用ユーザについて、前記対象ユーザが特定ユーザであると判断し、
前記決定部は、前記ユーザ判断部により前記対象ユーザが特定ユーザであると判断されたとき、前記対象属性として前記特定ユーザが対応付けられた前記広告情報を提示すると決定する
ことを特徴とする請求項１または２に記載の広告決定装置。
【請求項４】
前記楽曲リストの前記予約属性情報は、前記楽曲を好むユーザの属性を示す楽曲属性情報を含み、前記楽曲が前記カラオケ装置により提供されるサービスにログインしているログインユーザにより予約された楽曲であるとき、前記楽曲属性情報を、前記楽曲を予約した前記ログインユーザの属性を示すユーザ属性情報へ置換し、
前記取得部により取得される前記楽曲リストのそれぞれの楽曲の前記楽曲属性情報および前記ユーザ属性情報が共通するか否かを判断する属性判断部を備え、
前記ユーザ判断部は、前記属性判断部により前記楽曲属性情報および前記ユーザ属性情報が共通すると判断されるとき、前記利用ユーザについて、前記対象ユーザが特定ユーザであると判断し、
前記決定部は、前記ユーザ判断部により前記対象ユーザが特定ユーザであると判断されたとき、前記対象属性として前記特定ユーザが対応付けられた前記広告情報を提示すると決定する
ことを特徴とする請求項１〜３のいずれかに記載の広告決定装置。
【請求項５】
前記楽曲リストの前記予約属性情報は、前記楽曲を好むユーザの属性を示す楽曲属性情報を含み、前記楽曲が前記カラオケ装置により提供されるサービスにログインしているログインユーザにより予約された楽曲であるとき、前記楽曲属性情報を、前記楽曲を予約した前記ログインユーザの属性を示すユーザ属性情報へ置換し、
前記取得部により取得される前記楽曲リストのそれぞれの楽曲について、前記楽曲属性情報および前記ユーザ属性情報が共通するか否かを判断する属性判断部を備え、
前記ユーザ判断部は、前記属性判断部により前記楽曲属性情報および前記ユーザ属性情報が共通すると判断されないとき、前記利用ユーザについて、前記対象ユーザが混合ユーザであると判断し、
前記決定部は、前記ユーザ判断部により前記対象ユーザが混合ユーザであると判断されたとき、前記対象属性として前記混合ユーザが対応付けられた前記広告情報を提示すると決定する
ことを特徴とする請求項１〜４のいずれかに記載の広告決定装置。
【請求項６】
前記記憶部は、前記広告情報を提示する対象を、特定の属性に分類されるユーザである前記特定ユーザであり、且つ、個人とするとき、前記広告情報と、特定個人ユーザが前記対象ユーザであることを示す対象属性とを対応付けてして記憶し、
前記楽曲リストの前記予約属性情報は、前記カラオケ装置に予約される複数の楽曲が、前記カラオケ装置により提供されるサービスにログインしているログインユーザ、またはログインしていないゲストユーザにより予約されたかを示すユーザ属性情報を含み、
前記取得部により取得される楽曲リストの複数の楽曲について、一人のログインユーザにより予約されたか否かを判断する属性判断部を備え、
前記ユーザ判断部は、前記属性判断部により、前記楽曲リストの複数の楽曲が、一人のログインユーザにより予約されたと判断されたとき、前記カラオケ装置を利用する利用ユーザが、特定個人ユーザであると判断し、
前記決定部は、前記ユーザ判断部により前記対象ユーザが特定個人ユーザであると判断されたとき、前記対象属性として前記特定個人ユーザが対応付けられた前記広告情報を提示すると決定する
ことを特徴とする請求項１〜５に記載の広告決定装置。
【請求項７】
カラオケ装置と通信可能な広告決定装置における広告決定方法であって、
カラオケ装置を利用する利用ユーザへ提示する広告情報と、前記広告情報を提示する対象が、複数種類の属性に分類されるユーザである混合ユーザ、または特定の属性に分類されるユーザである特定ユーザのいずれの対象ユーザであるかを示す対象属性とを対応付けて記憶する記憶手段と、
前記カラオケ装置に予約される複数の楽曲に関連するユーザの属性を予約属性情報として含む楽曲リストを取得する取得手段と、
前記取得手段により取得された楽曲リストの予約属性情報に従って、前記カラオケ装置を利用する前記利用ユーザが、前記混合ユーザ、または前記特定ユーザのいずれの前記対象ユーザであるかを判断するユーザ判断手段と、
前記ユーザ判断手段により判断された前記対象ユーザを示す前記対象属性が対応付けられた広告情報を提示すると決定する決定手段と、を備えることを特徴とする広告決定方法。
【請求項８】
カラオケ装置を利用する利用ユーザへ提示する広告情報と、前記広告情報を提示する対象が、複数種類の属性に分類されるユーザである混合ユーザ、または特定の属性に分類されるユーザである特定ユーザのいずれの対象ユーザであるかを示す対象属性とを対応付けて記憶する記憶部と、
前記カラオケ装置に予約される複数の楽曲に関連するユーザの属性を予約属性情報として含む楽曲リストを取得する取得部と、
前記取得部により取得された楽曲リストの予約属性情報に従って、前記カラオケ装置を利用する前記利用ユーザが、前記混合ユーザ、または前記特定ユーザのいずれの前記対象ユーザであるかを判断するユーザ判断部と、
前記ユーザ判断部により判断された前記対象ユーザを示す前記対象属性が対応付けられた広告情報を提示すると決定する決定部と、を備えることを特徴とするカラオケ装置。
【発明の詳細な説明】
【技術分野】
【０００１】
本発明は、広告決定装置に関する。具体的には、カラオケシステムを用いて提示させる広告を決定する広告決定装置に関する。
【背景技術】
【０００２】
従来、カラオケシステムを利用して、表示手段に広告映像を表示し、利用者に視聴させる技術がある。特許文献１には、歌唱者による歌唱中に、同伴者等の利用者に宣伝効果映像を視聴させるカラオケシステムが開示されている。特許文献１のカラオケシステムでは、利用者が、会員として利用者ＩＤと属性情報とを顧客ＤＢに登録する。会員の利用者がカラオケ装置を利用すると、利用者ＩＤに基づく利用者の属性情報が抽出され、利用者属性情報に適応する宣伝効果映像が特定される。この宣伝効果映像は、歌唱者の歌唱中に、歌唱用の背景映像として表示手段に表示され、同伴者等の利用者に視聴させて、宣伝効果を向上させる。
【先行技術文献】
【特許文献】
【０００３】
【特許文献１】特開２００７−２０６２７４号公報
【発明の概要】
【発明が解決しようとする課題】
【０００４】
特許文献１に記載のカラオケシステムにおいて、宣伝効果映像は、会員登録された利用者ＩＤに基づく利用者属性情報に従って特定される。しかしながら、カラオケ装置は、会員登録がされた利用者のみに限らず、会員非登録の利用者により利用される場合がある。また、カラオケ装置は、複数人が共同に利用することも考えられる。特許文献１に記載のカラオケシステムのように、登録された利用者の利用者属性情報に従って、宣伝効果映像が特定されると、会員非登録の利用者などの利用者属性が判断できない利用者を含むカラオケ装置の一人または複数の利用者に、宣伝効果が高い映像が特定されるとは限らない。宣伝効果映像は、利用者の登録有無および人数に関わらず、カラオケ装置を利用する利用者に合った映像であることが求められる。
【０００５】
本発明は、上述した問題点を解決するためになされたものである。本発明は、カラオケ装置によって再生される楽曲を示す楽曲リストから、カラオケ装置を利用する利用ユーザの対象属性を示す対象ユーザを判断し、判断された対象ユーザが提示対象とされた広告を、利用ユーザに提示する広告と決定する広告決定装置を提供することを目的とする。
【課題を解決するための手段】
【０００６】
請求項１に記載の発明によれば、カラオケ装置と通信可能な広告決定装置であって、カラオケ装置を利用する利用ユーザへ提示する広告情報と、前記広告情報を提示する対象が、複数種類の属性に分類されるユーザである混合ユーザ、または特定の属性に分類されるユーザである特定ユーザのいずれの対象ユーザであるかを示す対象属性とを対応付けて記憶する記憶部と、前記カラオケ装置に予約される複数の楽曲に関連するユーザの属性を予約属性情報として含む楽曲リストを取得する取得部と、前記取得部により取得された楽曲リストの予約属性情報に従って、前記カラオケ装置を利用する前記利用ユーザが、前記混合ユーザ、または前記特定ユーザのいずれの前記対象ユーザであるかを判断するユーザ判断部と、前記ユーザ判断部により判断された前記対象ユーザを示す前記対象属性が対応付けられた広告情報を提示すると決定する決定部とを備えることを特徴とする広告決定装置である。
【０００７】
請求項２に記載の発明によれば、前記楽曲リストの前記予約属性情報は、予約される複数の楽曲について、前記楽曲を好むユーザの属性を示す楽曲属性情報を含み、前記取得部により取得される前記楽曲リストのそれぞれの楽曲の前記楽曲属性情報が共通するか否かを判断する属性判断部を備え、前記ユーザ判断部は、前記属性判断部により前記楽曲属性情報が共通すると判断されないとき、前記利用ユーザについて、前記対象ユーザが混合ユーザであると判断し、前記決定部は、前記ユーザ判断部により前記対象ユーザが混合ユーザであると判断されたとき、前記対象属性として前記混合ユーザが対応付けられた前記広告情報を提示すると決定することを特徴とする。
【０００８】
請求項３に記載の発明によれば、前記楽曲リストの前記予約属性情報は、予約される複数の楽曲について、前記楽曲を好むユーザの属性を示す楽曲属性情報を含み、前記取得部により取得される前記楽曲リストのそれぞれの楽曲の前記楽曲属性情報が共通するか否かを判断する属性判断部を備え、前記ユーザ判断部は、前記属性判断部により前記楽曲属性情報が共通すると判断されるとき、前記利用ユーザについて、前記対象ユーザが特定ユーザであると判断し、前記決定部は、前記ユーザ判断部により前記対象ユーザが特定ユーザであると判断されたとき、前記対象属性として前記特定ユーザが対応付けられた前記広告情報を提示すると決定することを特徴とする。
【０００９】
請求項４に記載の発明によれば、前記楽曲リストの前記予約属性情報は、前記楽曲を好むユーザの属性を示す楽曲属性情報を含み、前記楽曲が前記カラオケ装置により提供されるサービスにログインしているログインユーザにより予約された楽曲であるとき、前記楽曲属性情報を、前記楽曲を予約した前記ログインユーザの属性を示すユーザ属性情報へ置換し、前記取得部により取得される前記楽曲リストのそれぞれの楽曲の前記楽曲属性情報および前記ユーザ属性情報が共通するか否かを判断する属性判断部を備え、前記ユーザ判断部は、前記属性判断部により前記楽曲属性情報および前記ユーザ属性情報が共通すると判断されるとき、前記利用ユーザについて、前記対象ユーザが特定ユーザであると判断し、前記決定部は、前記ユーザ判断部により前記対象ユーザが特定ユーザであると判断されたとき、前記対象属性として前記特定ユーザが対応付けられた前記広告情報を提示すると決定することを特徴とする。
【００１０】
請求項５に記載の発明によれば、前記楽曲リストの前記予約属性情報は、前記楽曲を好むユーザの属性を示す楽曲属性情報を含み、前記楽曲が前記カラオケ装置により提供されるサービスにログインしているログインユーザにより予約された楽曲であるとき、前記楽曲属性情報を、前記楽曲を予約した前記ログインユーザの属性を示すユーザ属性情報へ置換し、前記取得部により取得される前記楽曲リストのそれぞれの楽曲について、前記楽曲属性情報および前記ユーザ属性情報が共通するか否かを判断する属性判断部を備え、前記ユーザ判断部は、前記属性判断部により前記楽曲属性情報および前記ユーザ属性情報が共通すると判断されないとき、前記利用ユーザについて、前記対象ユーザが混合ユーザであると判断し、前記決定部は、前記ユーザ判断部により前記対象ユーザが混合ユーザであると判断されたとき、前記対象属性として前記混合ユーザが対応付けられた前記広告情報を提示すると決定することを特徴とする。
【００１１】
請求項６に記載の発明によれば、前記記憶部は、前記広告情報を提示する対象を、特定の属性に分類されるユーザである前記特定ユーザであり、且つ、個人とするとき、前記広告情報と、特定個人ユーザが前記対象ユーザであることを示す対象属性とを対応付けてして記憶し、前記楽曲リストの前記予約属性情報は、前記カラオケ装置に予約される複数の楽曲が、前記カラオケ装置により提供されるサービスにログインしているログインユーザ、またはログインしていないゲストユーザにより予約されたかを示すユーザ属性情報を含み、前記取得部により取得される楽曲リストの複数の楽曲について、一人のログインユーザにより予約されたか否かを判断する属性判断部を備え、前記ユーザ判断部は、前記属性判断部により、前記楽曲リストの複数の楽曲が、一人のログインユーザにより予約されたと判断されたとき、前記カラオケ装置を利用する利用ユーザが、特定個人ユーザであると判断し、前記決定部は、前記ユーザ判断部により前記対象ユーザが特定個人ユーザであると判断されたとき、前記対象属性として前記特定個人ユーザが対応付けられた前記広告情報を提示すると決定することを特徴とする。
【００１２】
請求項７に記載の発明によれば、カラオケ装置と通信可能な広告決定装置における広告決定方法であって、カラオケ装置を利用する利用ユーザへ提示する広告情報と、前記広告情報を提示する対象が、複数種類の属性に分類されるユーザである混合ユーザ、または特定の属性に分類されるユーザである特定ユーザのいずれの対象ユーザであるかを示す対象属性とを対応付けて記憶する記憶手段と、前記カラオケ装置に予約される複数の楽曲に関連するユーザの属性を予約属性情報として含む楽曲リストを取得する取得手段と、前記取得手段により取得された楽曲リストの予約属性情報に従って、前記カラオケ装置を利用する前記利用ユーザが、前記混合ユーザ、または前記特定ユーザのいずれの前記対象ユーザであるかを判断するユーザ判断手段と、前記ユーザ判断手段により判断された前記対象ユーザを示す前記対象属性が対応付けられた広告情報を提示すると決定する決定手段と、を備えることを特徴とする広告決定方法である。
【００１３】
請求項８に記載の発明によれば、カラオケ装置を利用する利用ユーザへ提示する広告情報と、前記広告情報を提示する対象が、複数種類の属性に分類されるユーザである混合ユーザ、または特定の属性に分類されるユーザである特定ユーザのいずれの対象ユーザであるかを示す対象属性とを対応付けて記憶する記憶部と、前記カラオケ装置に予約される複数の楽曲に関連するユーザの属性を予約属性情報として含む楽曲リストを取得する取得部と、前記取得部により取得された楽曲リストの予約属性情報に従って、前記カラオケ装置を利用する前記利用ユーザが、前記混合ユーザ、または前記特定ユーザのいずれの前記対象ユーザであるかを判断するユーザ判断部と、前記ユーザ判断部により判断された前記対象ユーザを示す前記対象属性が対応付けられた広告情報を提示すると決定する決定部と、を備えることを特徴とするカラオケ装置。
【発明の効果】
【００１４】
請求項１記載の発明によれば、判断部により、楽曲リストの予約属性情報にしたがって、前記カラオケ装置を利用する利用ユーザが、複数種類の属性に分類されるユーザである混合ユーザ、または特定の属性に分類されるユーザである特定ユーザのいずれの対象ユーザであるかが判断され、決定部により、判断部に判断された利用ユーザの対象ユーザが対象属性に対応付けられた広告情報が決定される。予約される楽曲リストから、決定部により、利用ユーザが判断された対象ユーザが対象属性に対応付けられた広告情報が決定されることにより、利用ユーザに応じた効果的な広告情報の提示が可能となる。
【００１５】
請求項２記載の発明によれば、属性判断部により、楽曲リストの楽曲属性情報が、複数の楽曲で一致しないとき、カラオケ装置を利用する利用ユーザは、混合ユーザであると判断され、決定部により対象属性に混合ユーザが対応付けられた広告情報が決定される。カラオケ装置に予約される楽曲リストのそれぞれの楽曲について、楽曲属性情報が共通しないとき、予約される楽曲は、楽曲を好むユーザの属性が異なるため、属性が異なる複数の利用ユーザである混合ユーザであることが考えられる。楽曲属性情報が共通しないとき、対象属性に混合ユーザが対応付けられた広告情報を提示すると決定することにより、利用ユーザが複数種類の属性に分類されるユーザである混合ユーザである場合であっても、利用ユーザに応じた効果的な広告情報の提示が可能となる。
【００１６】
請求項３記載の発明によれば、属性判断部により、楽曲リストの楽曲属性情報が、それぞれの楽曲で共通するとき、カラオケ装置を利用する利用ユーザは、特定ユーザであると判断され、決定部により対象属性に特定ユーザが対応付けられた広告情報が決定される。カラオケ装置に予約される楽曲リストのそれぞれの楽曲について、楽曲属性情報が共通するとき、予約された楽曲を好むユーザの属性には、特定の関連があることが考えられる。楽曲リストの楽曲属性情報が共通するとき、特定ユーザが対象属性に対応付けられた広告情報を決定することにより、特定の関連がある利用ユーザに応じた効果的な広告情報の提示が可能となる。
【００１７】
請求項４記載の発明によれば、楽曲リストの予約属性情報には、楽曲を予約した利用ユーザがログインユーザであればユーザ属性情報が含まれる。属性判断部により、楽曲属性情報およびユーザ属性情報が共通すると判断されるとき、ユーザ判断部により、カラオケ装置を利用する利用ユーザが、特定ユーザであると判断され、対象属性が特定ユーザである広告情報が決定される。楽曲属性情報と、楽曲リストの楽曲を予約したログインユーザのユーザ属性情報とにより、カラオケ装置を利用する利用ユーザが特定ユーザであるかを判断することができるため、ログインユーザのユーザ属性情報により、カラオケ装置を利用する利用ユーザを正確に判断することができ、利用ユーザに応じたより効果的な広告情報の提示が可能となる。
【００１８】
請求項５記載の発明によれば、楽曲リストには、予約属性情報として、楽曲を予約した利用ユーザがログインユーザであればユーザ属性情報が含まれる。属性判断部により、楽曲属性情報およびユーザ属性情報が共通すると判断されないとき、ユーザ判断部により、カラオケ装置を利用する利用ユーザが、混合ユーザであると判断され、対象属性が混合ユーザである広告情報が決定される。楽曲属性情報と、楽曲リストの楽曲を予約したログインユーザのユーザ属性情報とにより、カラオケ装置を利用する利用ユーザが、複数種類の属性に分類されるユーザである混合ユーザであるかを判断することができるため、ログインユーザのユーザ属性情報により、カラオケ装置を利用する利用ユーザを正確に判断することができ、利用ユーザに応じたより効果的な広告情報の提示が可能となる。
【００１９】
請求項６記載の発明によれば、記憶部には、特定グループユーザ、または特定個人ユーザのいずれかを示す対象属性が、広告情報に対応付けられて記憶される。ユーザ判断部により、楽曲リストの複数の楽曲が、一人のログインユーザにより予約されたか否かを判断し、一人のログインユーザにより予約されたと判断されるとき、決定部により、対象属性に特定個人ユーザが対応付けられた広告情報を提示すると決定される。楽曲リストの複数の楽曲が、一人のログインユーザにより予約されていることが判断されることにより、カラオケ装置を利用する利用ユーザが一人であると判断され、カラオケ装置を利用する一人の利用ユーザに応じた効果的な広告情報の提示が可能となる。
【００２０】
請求項７記載の発明によれば、判断手段により、楽曲リストの予約属性情報にしたがって、前記カラオケ装置を利用する利用ユーザが、複数種類の属性に分類されるユーザである混合ユーザ、または特定の属性に分類されるユーザである特定ユーザのいずれの対象ユーザであるかが判断され、決定手段により、判断手段に判断された利用ユーザの対象ユーザが対象属性に対応付けられた広告情報が決定される。予約される楽曲リストから、決定手段により、利用ユーザが判断された対象ユーザが対象属性に対応付けられた広告情報が決定されることにより、利用ユーザに応じた効果的な広告情報の提示が可能となる。
【００２１】
請求項８記載の発明によれば、判断部により、楽曲リストの予約属性情報にしたがって、前記カラオケ装置を利用する利用ユーザが、複数種類の属性に分類されるユーザである混合ユーザ、または特定の属性に分類されるユーザである特定ユーザのいずれの対象ユーザであるかが判断され、決定部により、判断部に判断された利用ユーザの対象ユーザが対象属性に対応付けられた広告情報が決定される。予約される楽曲リストから、決定部により、利用ユーザが判断された対象ユーザが対象属性に対応付けられた広告情報が決定されることにより、利用ユーザに応じた効果的な広告情報の提示が可能となる。
【図面の簡単な説明】
【００２２】
【図１】本発明の実施形態のカラオケシステムＳの全体概要を示す図である。
【図２】本実施形態のカラオケシステムＳの電気的構成を示すブロック図である。
【図３】図３（ａ）は、リモコン１を用いて楽曲の予約を行う際の表示画面である。図３（ｂ）は、本実施形態のリモコン１のディスプレイ１４に予約リストが表示される状態を示す説明図である。図３（ｃ）は、広告コンテンツと、広告対象とが対応付けられて、広告コンテンツ対象属性記憶領域４３２に記憶される記憶状態を示す概念図である。
【図４】図４（ａ）は、ログインユーザのユーザ情報を示すユーザリストを示す図である。図４（ｂ）は、予約リストの楽曲と、楽曲を予約したユーザと、楽曲の楽曲属性を示す図である。図４（ｃ）は、図４（ｂ）に示す予約リストの楽曲を予約したログインユーザの情報を、図４（ａ）に示すユーザリストに従って対応付けた図である。図４（ｄ）は、予約リストの楽曲と、楽曲を予約したユーザと、楽曲の楽曲属性を示す図である。図４（ｅ）は、図４（ｄ）に示す予約リストの楽曲を予約したログインユーザの情報を、図４（ａ）に示すユーザリストに従って対応付けた図である。
【図５】本実施形態のリモコン１により実行されるメイン動作の処理を示すフローチャートである。
【図６】本実施形態のカラオケ装置２により実行されるメイン動作の処理を示すフローチャートである。
【図７】本実施形態の広告決定サーバ５により実行されるメイン処理を示すフローチャートである。
【図８】本実施形態の広告決定サーバ５により実行される楽曲属性広告決定処理を示すフローチャートである。
【図９】本実施形態の広告決定サーバ５により実行されるユーザ属性広告決定処理を示すフローチャートである。
【発明を実施するための形態】
【００２３】
［最良の実施形態］
以下、図面に沿って、本発明を適用した最良の実施形態について説明する。
【００２４】
［１．カラオケシステムの構成及び動作の概要］
始めに、図１を参照して、本実施形態のカラオケシステムの構成の概要について説明する。図１は、本実施形態のカラオケシステムＳの構成を表す図である。なお、図１は、カラオケ店舗ＫＳの中に設置された複数のカラオケルームの中で、カラオケルームＫＲの１室を例に示す。図１の例では、カラオケルームＫＲに、リモコン１と、カラオケ装置２と、広告決定サーバ５と、ディスプレイ５４とが夫々１台ずつ設置されている。なお、カラオケルームＫＲに、リモコン１は複数台設置されても良い。一般的にカラオケ店舗ＫＳには、複数のカラオケルームＫＲが設定されている。
【００２５】
図１に示すように、カラオケシステムＳは、リモコン１と、カラオケ装置２と、センターサーバ４と、広告決定サーバ５とを含んで構成される。リモコン１は、楽曲の選曲または検索に用いられる選曲装置である。リモコン１は、カラオケ店舗ＫＳに備えられたアクセスポイントＡＰ及びブロードバンドルータＢＲを介して、無線通信によりネットワークに接続される。これにより、リモコン１は、ネットワークを介してカラオケ装置２及び広告決定サーバ５と通信が可能になる。また、広告決定サーバ５は、ブロードバンドルータＢＲを介してカラオケ装置２及びセンターサーバ４と通信が可能になる。リモコン１は、赤外線によりカラオケ装置２へ、楽曲の予約を依頼する。リモコン１には、リモコンＩＤが付与されている。リモコンＩＤは、リモコン１を識別するための識別情報である。リモコンＩＤは、リモコン１を一意に特定できる情報であれば、どのような情報であってもよいが、例えばリモコン１に割り当てられたＩＰアドレスがリモコンＩＤとされても良い。
【００２６】
カラオケ装置２は、リモコン１により依頼された予約に基づいて、楽曲の再生処理を行う。カラオケ装置２には、夫々カラオケ装置ＩＤが付与される。カラオケ装置ＩＤは、カラオケ装置を夫々識別するための情報である。カラオケ装置ＩＤは、カラオケ装置２を一意に特定できる情報であれば、どのような情報であってもよいが、例えばカラオケ装置２に割り当てられたＩＰアドレスがカラオケ装置ＩＤとされる。ＩＰアドレスが示すカラオケ装置２のカラオケ装置ＩＤにより、カラオケ装置２が存在する場所が特定され、カラオケ装置２が設置されるカラオケルームＫＲおよびカラオケ店舗ＫＳが特定される。すなわち、リモコン１のリモコンＩＤと、カラオケ装置２のカラオケ装置ＩＤとが対応付けられることにより、リモコン１により依頼された予約に基づく各処理が、カラオケ装置２により実行される。また、カラオケ装置ＩＤは、広告決定サーバ５においても管理されることにより、カラオケ装置ＩＤにより特定されるカラオケ装置２が設置されるカラオケ店舗ＫＳおよびカラオケルームＫＲの場所が特定される。
【００２７】
また、リモコン１の代わりに、ユーザが個人で所有する携帯端末装置から、楽曲の予約を、カラオケ装置へ依頼することが可能である。ユーザは、夫々所有する携帯端末装置を用いて、カラオケ装置２へ楽曲の予約を依頼することができる。この場合、携帯端末装置は、携帯基地局Ｃを介してネットワークへ接続可能になっている。
【００２８】
また、ブロードバンドルータＢＲを介して、カラオケ店舗ＫＳより外部に設置されるセンターサーバ４と、広告決定サーバ５とが、ネットワークにより接続される。広告決定サーバ５には、ディスプレイ５４が接続される。ディスプレイ５４は、センターサーバ４から受信する広告を表示する。センターサーバ４、および広告決定サーバ５の詳細は後述する。
【００２９】
[１．カラオケシステムＳの電気的構成]
図２および図３は、カラオケシステムＳの電気的構成を示すブロック図である。以下、図２を用いて、リモコン１、カラオケ装置２、センターサーバ４、広告決定サーバ５の電気的構成を順に説明する。
【００３０】
［リモコン１の構成］
リモコン１は、制御部１１と、赤外線送信部１２と、メモリ１３と、ディスプレイ１４と、操作部１５と、操作処理部１６と、ビデオＲＡＭ１７と、映像制御部１８と、無線ＬＡＮ通信部１９とを備える。制御部１１は、リモコン１の動作を制御する。赤外線送信部１２は、後述するカラオケ装置２の赤外線受信部２５と通信することにより、リモコン１の指示を、カラオケ装置２へ送信する。メモリ１３は、ログイン情報記憶領域１３１と、アクティブ情報記憶領域１３２とを備える。ログイン情報記憶領域１３１は、ユーザがリモコン１を用いてカラオケシステムＳにログインした情報を記憶する。具体的には、カラオケシステムＳにおけるユーザのユーザＩＤと、ユーザＩＤに紐付けられているユーザの属性情報などが、ログイン情報記憶領域１３１に記憶される。ユーザの属性情報とは、例えば、ユーザの性別、ユーザの年齢、ユーザの歌唱履歴、ユーザの嗜好を示す情報である。アクティブ情報記憶領域１３２は、リモコン１のアクティブユーザを示すユーザＩＤを記憶する。アクティブユーザは、リモコン１を操作しているユーザを示す。図３を用いて、リモコン１のログイン処理、及び、アクティブユーザについて説明する。図３（ａ）は、リモコン１を用いて楽曲の予約を行う際の表示画面である。本実施形態では、図３（ａ）に示すように、リモコン１のディスプレイ１４には、リモコン１を用いてログインされたユーザ画像Ａ１、Ａ２及びＡ３が表示される。本実施形態では、リモコン１によるログイン処理が完了すると、リモコン１のディスプレイ１４には、ログインしたユーザが、例えば、アバターを用いて、ユーザ画像Ａ１、Ａ２及びＡ３として表示される。
【００３１】
また、本実施形態では、さらに、リモコン１へログインしたユーザの中から、リモコン１を利用しているユーザが識別可能になっている。本実施形態では、リモコン１へログインしたユーザの中から、リモコン１を利用しているユーザを、以下、「アクティブユーザ」と呼ぶ。図３（ａ）の例では、ユーザ画像Ａ１の周辺に枠が表示されている。この枠に囲まれたユーザ画像Ａ１が示すユーザが、アクティブユーザとなる。本実施形態のリモコン１のディスプレイ１４は、タッチパネルである。このため、ユーザ画像Ａ１〜Ａ３のいずれかが、接触されることで、接触されたユーザ画像と対応するユーザへ、アクティブユーザを切り替えることが可能である。切り替えられたアクティブユーザに対応するユーザＩＤが、アクティブ情報記憶領域１３２へ記憶される。アクティブユーザが切り替えられるたびに、アクティブ情報記憶領域１３２は更新される。
【００３２】
また、本実施形態では、リモコン１へログインしていないユーザであっても予約可能なように、ゲストユーザの設定が可能である。図３（ａ）では、ユーザ画像Ａ４がゲストユーザを示す。このため、ユーザ画像Ａ４が、接触されることで、ゲストユーザへ、アクティブユーザを切り替えることが可能である。ゲストユーザに切り替えられた場合、ゲストユーザを示す識別情報が、アクティブ情報記憶領域１３２へ記憶される。ゲストユーザへ切り替えられるたびに、アクティブ情報記憶領域１３２は更新される。このように、各アクティブユーザ、及びゲストユーザが切り替えられるたびに、アクティブ情報記憶領域１３２に記憶されるユーザ識別情報が更新される。リモコン１により楽曲を予約する指示がされたとき、アクティブ情報記憶領域１３２に記憶されるユーザ識別情報が、予約される楽曲に対応付けられる。これにより、予約される楽曲と、楽曲を予約する指示をしたユーザを示すアクティブユーザとが対応付けられる。
【００３３】
図３（ｂ）は、本実施形態のリモコン１のディスプレイ１４に予約リストが表示される状態を示す説明図である。図３（ｂ）は、予約リストが表示される表示態様を示す説明図である。図３（ｂ）に示すように、楽曲を識別可能な楽曲識別情報として「ちりぬるを」、「いろは」、「ひほへと」と、その楽曲を予約したユーザとが対応付けられている。例えば、楽曲識別情報「ちりぬるを」には、ユーザ画像Ａ２が対応付けられている。これは、楽曲識別情報「ちりぬるを」は、ユーザ画像Ａ２が示すユーザにより予約されたことを示している。また、楽曲識別情報「いろは」には、ゲストユーザを示す画像が対応付けられている。これは、楽曲識別情報「いろは」は、ゲストユーザにより予約されたことを示している。
【００３４】
ディスプレイ１４には、ユーザがログインおよび楽曲の予約をするために、ログイン画面および楽曲選択画面などが表示される。操作部１５は、ディスプレイ１４に表示される情報に従って、カラオケ装置２へログイン情報および楽曲の情報を送信するとき、ユーザにより操作される。操作部１５により操作された情報は、操作処理部１６により制御部１１に送信される。ビデオＲＡＭ１７は、ディスプレイ１４に表示させる情報を記憶する。映像制御部１８は、制御部１１による制御に従って、ディスプレイ１４に表示させる情報を送信する。無線ＬＡＮ通信部１９は、制御部１１による制御に従って、メモリ１３に記憶されている情報を、アクセスポイントＡＰへ送信し、アクセスポイントＡＰから情報を受信する。
【００３５】
［カラオケ装置２の構成］
カラオケ装置２は、制御部２１と、ＬＡＮインタフェース部２２と、記憶部２３と、操作部２４と、赤外線受信部２５と、操作処理部２６と、シンセサイザ２７と、マイク制御部２８と、スピーカ２９と、ミキシングアンプ３０と、ビデオＲＡＭ３１と、映像再生部３２と、映像制御部３３と、映像受信部３４と、ディスプレイ３５と、カメラ３６とを備える。制御部２１は、カラオケ装置２の動作を制御する。制御部２１は、例えば、後述する予約リストに従って、予約された楽曲を再生させる指示を行う。ＬＡＮインタフェース部２２は、ネットワークに接続し、制御部２１からの情報を、ネットワークに接続される他の端末であるリモコン１と、センターサーバ４と、広告決定サーバ５とに送信する。また、ネットワークに接続される他の端末からの情報を受信する。
【００３６】
記憶部２３は、ログイン情報記憶領域２３１と、予約リスト記憶領域２３２と、楽曲属性情報記憶領域２３３とを備える。ログイン情報記憶領域２３１は、図４（ａ）に示すように、リモコン１を用いてログインしたユーザのログイン情報が記憶される。予約リスト記憶領域２３２は、リモコン１を用いてユーザにより予約された楽曲の情報を予約リストとして記憶する。具体的には、予約リストには、予約したユーザを示すユーザＩＤと、予約された楽曲を識別可能な楽曲識別情報とが対応付けられて登録される。楽曲属性情報記憶領域２３３は、予約リストの楽曲の楽曲属性情報が、楽曲識別情報と対応付けられて登録される。楽曲属性情報とは、具体的には、楽曲を好むユーザの年代および性別を示す情報である。
【００３７】
操作部２４により、ユーザは、リモコン１と同様に、楽曲を予約することができる。赤外線受信部２５は、リモコン１の赤外線送信部１２から、情報を受信する。操作処理部２６は、操作部２４および赤外線受信部２５からの情報を、操作指示として、制御部２１に送信する。シンセサイザ２７は、制御部２１による制御に従って、楽曲の音を発生させる指示をミキシングアンプ３０へ行う。マイク制御部２８は、図示外のマイクを用いてユーザにより入力される音を発生させる指示をミキシングアンプ３０へ行う。スピーカ２９およびミキシングアンプ３０は、シンセサイザ２７およびマイク制御部２８から受信する指示に従って、音を発生させる。ビデオＲＡＭ３１と、映像再生部３２と、映像制御部３３、映像受信部３４とにより、制御部２１による制御に従って、ディスプレイ３５に映像を表示させる。また、映像制御部３３は、制御部２１により制御に従って、カメラ３６が取得した映像を、ディスプレイ３５に表示させる。
【００３８】
［センターサーバ４の構成］
センターサーバ４は、ＬＡＮインタフェース部４１と、制御部４２と、広告記憶部４３と、曲記憶部４４とを備える。ＬＡＮインタフェース部４１は、ネットワークに接続し、ブロードバンドルータＢＲを介して他の端末であるリモコン１と、カラオケ装置２と、広告決定サーバ５とに接続される。制御部４２は、センターサーバ４の動作を制御する。広告記憶部４３は、広告コンテンツ記憶領域４３１と、広告コンテンツ対象属性記憶領域４３２とを備える。広告コンテンツ記憶領域４３１は、カラオケシステムＳを利用してディスプレイ５４に表示させる多数の広告コンテンツを記憶する。
【００３９】
広告コンテンツ対象属性記憶領域４３２は、広告コンテンツ記憶領域４３１に記憶される広告コンテンツに対応付けて、各広告コンテンツを配信する対象ユーザを示す対象属性を記憶する。図３（ｃ）は、広告コンテンツと、広告コンテンツの対象属性とが対応付けられて、広告コンテンツ対象属性記憶領域４３２に記憶される記憶状態を示す概念図である。図３（ｃ）に示すように、各広告コンテンツには、対象属性として、年齢層、性別、広告対象１、広告対象２が対応付けられて、広告コンテンツ対象属性記憶領域４３２に記憶される。年齢層は、広告コンテンツが対象とする年齢層を示す。性別は、広告コンテンツが対象とする性別を示す。年齢層および性別について、広告コンテンツが、特に対象を制限しない全対象であるとき、「―」が示される。
【００４０】
広告対象１は、広告コンテンツが対象とする年齢層および性別に応じて、対象とするユーザを、混合ユーザまたは特定ユーザにより示す。広告対象１が、混合ユーザである広告コンテンツは、年齢層および性別の対象を制限しない「―」（全対象）であって、例えば、カラオケルームＫＲにおいてカラオケ装置２を、老若男女の複数のユーザが共同に利用している場合に、いずれのユーザも対象とする全対象の広告コンテンツとして提示する。広告対象１が、特定ユーザである広告コンテンツは、例えば、カラオケルームＫＲにおいてカラオケ装置２を、性別または年代が共通するユーザが利用している場合に、カラオケ装置２を利用する利用ユーザに対して、利用ユーザに共通すると判断された性別または年代のユーザに提示対象と指定された広告コンテンツとして提示される。広告対象２は、特に、広告対象１が特定ユーザとされる広告コンテンツについて、提示対象として、特定グループと、特定個人とのいずれかを示す。広告対象２が特定グループの広告コンテンツは、例えば、カラオケルームＫＲにおいてカラオケ装置２を利用する利用ユーザに対して、性別または年代が共通すると判断された複数の利用ユーザに提示対象と指定された広告コンテンツとして提示される。広告対象２が特定個人の広告コンテンツは、例えば、カラオケルームＫＲにおいてカラオケ装置２を利用する利用ユーザに対して、利用ユーザと共通すると判断された性別または年代の特定の個人のユーザに提示対象と指定された広告コンテンツでとして提示される。
【００４１】
また、曲記憶部４４は、楽曲記憶領域４４１を備える。楽曲記憶領域４４１は、楽曲と、楽曲を識別可能な楽曲識別情報と、楽曲識別情報に対応する楽曲属性情報を対応付けて記憶する。楽曲属性情報は、楽曲識別情報が示す楽曲を好むユーザの年代を示す年情報と、楽曲識別情報が示す楽曲を好むユーザの性別を示す性別情報とを含む。年情報は、楽曲識別情報が示す楽曲を好むユーザの年齢を示す情報であってもよい。本実施形態では、広告コンテンツを記憶する広告記憶部４３と、楽曲を記憶する曲記憶部４４とが、共にセンターサーバ４に備えられる構成であるが、これに限らない。広告記憶部４３と、曲記憶部４４は、それぞれ別体の各サーバに設けられてもよい。
【００４２】
また、センターサーバ４は、カラオケ店舗ＫＳに設置されたカラオケ装置２とリモコン１とのくくり付け情報を、広告記憶部４３の所定の記憶領域に記憶しても良い。また、センターサーバ４は、カラオケ店舗ＫＳに設置されたカラオケ装置と携帯端末装置とのくくり付け情報を記憶しても良い。くくり付け情報は、カラオケ装置２と通信可能なリモコンまたは携帯端末との対応関係を示す情報である。センターサーバ４は、くくり付け情報に基づいて、リモコン１から送信された予約依頼を、リモコン１とくくり付けられたカラオケ装置２へ送信する。また、図示外のカラオケサーバが、くくり付け情報に基づいて、携帯端末装置から送信された予約依頼を、携帯端末装置とくくり付けられたカラオケ装置２へ送信しても良い。
【００４３】
また、センターサーバ４は、広告コンテンツが新たに投入されると、新たな広告コンテンツを、広告記憶部４３の広告コンテンツ記憶領域４３１に記憶する。新たに記憶する広告コンテンツに対応して、広告コンテンツの対象属性が付与されているとき、広告コンテンツ対象属性記憶領域４３２に、広告コンテンツの対象属性を、広告コンテンツ記憶領域４３１に記憶される広告コンテンツと対応付けて記憶する。
【００４４】
［広告決定サーバ５の構成］
広告決定サーバ５は、ＬＡＮインタフェース部５１と、制御部５２と、記憶部５３と、ビデオＲＡＭ５７と、映像制御部５８とを備える。ＬＡＮインタフェース部５１は、ネットワークに接続するためのインタフェースである。制御部５２は、広告決定サーバ５の動作を制御する。記憶部５３は、広告コンテンツ記憶領域５３１と、広告コンテンツ対象属性記憶領域５３２と、予約リスト記憶領域５３４と、再生順序リスト記憶領域５３５とを備える。
【００４５】
広告コンテンツ記憶領域５３１は、カラオケシステムＳを利用してディスプレイ５４に表示させる１以上の広告コンテンツを記憶する。広告コンテンツ対象属性記憶領域５３２は、広告コンテンツ記憶領域５３１に記憶される広告コンテンツに対応付けて、各広告コンテンツの対象属性を記憶する。なお、広告コンテンツ及び、広告コンテンツの対象属性は、センターサーバ４から取得される。また、予約リスト記憶領域５３４は、図４（ｂ）〜図４（ｅ）に示す、リモコン１により予約される楽曲の予約リストを記憶する。予約リストには、図４（ａ）に示すユーザリストに従って、予約したユーザが特定される。尚、予約リストの詳細は後述する。
【００４６】
再生順序リスト記憶領域５３５は、広告コンテンツ記憶領域５３１に記憶される広告コンテンツが再生される順序を示す広告コンテンツの再生順序リストが記憶される。具体的には、再生順序リストは、再生される広告コンテンツを識別する識別情報と、広告コンテンツが再生されるタイミングを示すタイミング情報とを対応付けて記憶する。タイミング情報は、広告コンテンツが再生される順序を示す情報である。ビデオＲＡＭ５７と、映像制御部５８とにより、制御部５２による制御に従って、ディスプレイ５４に映像を表示させる。ビデオＲＡＭ５７は、ディスプレイ５４に表示させる映像を一時記憶する。映像制御部５８は、ディスプレイ５４に、広告コンテンツに従った映像を表示させる。
【００４７】
［リモコン１の動作］
次に、上述に説明した構成からなる本実施形態のカラオケシステムＳに用いられるリモコン１の動作及び作用について、図５を参照して説明する。図５は、リモコン１におけるメイン動作の処理手順を示すフローチャートである。なお、リモコン１にメイン動作を実行させるプログラムは、メモリ１３の所定の記憶領域に記憶されている。リモコン１のメイン動作は、例えば、リモコン１の電源がオンにされたことにより、遂行される。以下に示す処理は、制御部１１により実行される。
【００４８】
ステップＳ１０１では、カラオケ装置２へログインが要求されたか否かが判定される。カラオケ装置２へログインが要求されたと判定された場合（ステップＳ１０１：ＹＥＳ）、ステップＳ１０２が実行される。カラオケ装置２へログインが要求されたと判定されない場合（ステップＳ１０１：ＮＯ）、ステップＳ１０４が実行される。
【００４９】
ステップＳ１０２では、カラオケ装置２へ向けて、ログイン要求が送信される。そして、ログイン要求を受信したカラオケ装置２を介してセンターサーバ４は、ログイン処理を実行し、ログインを許可するか、または、拒否するかを判断する。ログインの許可、または、ログインの拒否が、リモコン１へ向けて送信される。
【００５０】
ステップＳ１０３では、ログインの許可、または、ログインの拒否が受信される。受信した結果、ログインが許可された場合、許可されたユーザＩＤと、ユーザの属性情報とが、ログイン情報記憶領域１３１に記憶される。
【００５１】
ステップＳ１０４では、カラオケの楽曲の予約が、要求されたか否かが判定される。楽曲の予約が要求されたと判定された場合（ステップＳ１０４：ＹＥＳ）、ステップＳ１０５が実行される。楽曲の予約が要求されたと判定されなかった場合（ステップＳ１０４：ＮＯ）、ステップＳ１０８が実行される。
【００５２】
ステップＳ１０５では、ステップＳ１０４で要求された予約が、ログインユーザからの予約であるか否かが判定される。具体的には、ステップＳ１０４で要求されたときに、アクティブ情報記憶領域１３２に記憶されているユーザ識別情報が確認される。アクティブ情報記憶領域１３２に記憶されているユーザ識別情報が、ログインユーザを示す場合、ステップＳ１０４で要求された予約が、ログインユーザからの予約であると判定される。一方、アクティブ情報記憶領域１３２に記憶されているユーザ識別情報が、ゲストユーザを示す場合、ステップＳ１０４で要求された予約が、ログインユーザからの予約でないと判定される。ステップＳ１０４で要求された予約が、ログインユーザからの予約であると判定された場合（ステップＳ１０５：ＹＥＳ）、ステップＳ１０６が実行される。ステップＳ１０４で要求された予約が、ログインユーザからの予約でないと判定された場合（ステップＳ１０５：ＮＯ）、ステップＳ１０７が実行される。
【００５３】
ステップＳ１０６では、ステップＳ１０５において楽曲の予約の要求が、ログインユーザからの予約の要求であると判断されると、予約の要求をしたユーザがログインユーザであるとして、アクティブ情報記憶領域１３２に記憶されたユーザ識別情報と、予約された楽曲識別情報と、楽曲識別情報に対応する楽曲属性情報とが、カラオケ装置２へ送信される。
【００５４】
ステップＳ１０７では、ステップＳ１０５において楽曲の予約の要求が、ログインユーザからの予約の要求であると判断されないと、予約の要求をしたユーザがゲストユーザであるとして、アクティブ情報記憶領域１３２に記憶されたユーザ識別情報と、予約された楽曲識別情報と、楽曲識別情報に対応する楽曲属性情報とが、カラオケ装置２へ送信される。
【００５５】
ステップＳ１０８では、リモコン１の電源がオフにされたか否かが判定される。リモコン１の電源がオフにされたと判定された場合（ステップＳ１０８：ＹＥＳ）、リモコン１のメイン動作は終了される。リモコン１の電源がオフにされたと判定されなかった場合（ステップＳ１０８：ＮＯ）、ステップＳ１０１が実行される。
【００５６】
［カラオケ装置２の動作］
次に、上述に説明した構成からなる本実施形態のカラオケシステムＳに用いられるカラオケ装置２の動作及び作用について、図６を参照して説明する。図６は、カラオケ装置２におけるメイン動作の処理手順を示すフローチャートである。なお、カラオケ装置２にメイン動作を実行させるプログラムは、記憶部２３の所定の記憶領域に記憶されている。カラオケ装置２のメイン動作は、例えば、カラオケ装置２の電源がオンにされたことにより、遂行される。以下に示す処理は、制御部２１により実行される。
【００５７】
ステップＳ２０１では、カラオケ装置２へログインが要求されたか否かが判定される。カラオケ装置２へログインが要求されたと判定された場合（ステップＳ２０１：ＹＥＳ）、ステップＳ２０２が実行される。カラオケ装置２へログインが要求されたと判定されない場合（ステップＳ２０１：ＮＯ）、ステップＳ２０４が実行される。
【００５８】
ステップＳ２０２では、カラオケ装置２と接続するセンターサーバ４へ向けて、ログイン要求が送信される。そして、ログイン要求を受信したセンターサーバ４は、ログイン処理を実行し、ログインを許可するか、または、拒否するかを判断する。ログインの許可、または、ログインの拒否が、カラオケ装置２へ向けて送信される。
【００５９】
ステップＳ２０３では、ログインの許可、または、ログインの拒否がセンターサーバ４から受信される。ログインが許可されるとき、センターサーバ４から、ログインの許可と共に、ログイン要求に示されるログインユーザの情報が受信される。受信した結果、ログインが許可された場合、許可されたユーザＩＤと、ユーザの属性情報とが、ログイン情報記憶領域２３１に記憶される。
【００６０】
ステップＳ２０４では、リモコン１のステップＳ１０６またはステップＳ１０７で送信されたカラオケの楽曲を予約する要求が受信されたか否かが判定される。楽曲を予約する要求が受信されたと判定された場合（ステップＳ２０４：ＹＥＳ）、ステップＳ２０５が実行される。予約する要求が受信されたと判定されなかった場合（ステップＳ２０４：ＮＯ）、ステップＳ２０８が実行される。
【００６１】
ステップＳ２０５では、ステップＳ２０４で受信された要求に含まれる予約楽曲の楽曲識別情報に関する楽曲属性情報が、センターサーバ４へ向けて要求される。
【００６２】
ステップＳ２０６では、ステップＳ２０５で要求された楽曲属性情報が、センターサーバ４から取得される。
【００６３】
ステップＳ２０７では、ステップＳ２０６で取得された楽曲属性情報と、楽曲識別情報と、楽曲を予約したログインユーザまたはゲストユーザを識別するユーザ識別情報とが対応付けられて、予約リストとして、予約リスト記憶領域２３２に記憶される。
【００６４】
ステップＳ２０８では、広告決定サーバ５から、ログインユーザのログイン情報の送信要求が受信されたか否かが判定される。ログインユーザの情報の送信要求が受信されたと判定された場合（ステップＳ２０８：ＹＥＳ）、ステップＳ２０９が実行される。ログインユーザのログイン情報の送信要求が受信されたと判定されなかった場合（ステップＳ２０８：ＮＯ）、ステップＳ２１０が実行される。
【００６５】
ステップＳ２０９では、ログイン情報記憶領域２３１に記憶されたすべてのログインユーザのログイン情報が、広告決定サーバ５へ送信される。
【００６６】
ステップＳ２１０では、広告決定サーバ５から、予約リストの送信要求が受信されたか否かが判定される。広告決定サーバ５から予約リストの送信要求が受信されたと判定された場合（ステップＳ２１０：ＹＥＳ）、ステップＳ２１１が実行される。広告決定サーバ５から送信された予約リストの送信要求が受信されたと判定されなかった場合（ステップＳ２１０：ＮＯ）、ステップＳ２１２が実行される。
【００６７】
ステップＳ２１１では、予約リスト記憶領域２３２に記憶された予約リストと、現在再生中の楽曲を示す楽曲識別情報とが、広告決定サーバ５へ送信される。
【００６８】
ステップＳ２１２では、カラオケ装置２の電源がオフにされたか否かが判定される。カラオケ装置２の電源がオフにされたと判定された場合（ステップＳ２１２：ＹＥＳ）、カラオケ装置２のメイン動作は終了される。カラオケ装置２の電源がオフにされたと判定されなかった場合（ステップＳ２１２：ＮＯ）、ステップＳ２０１が実行される。
【００６９】
［広告決定サーバ５の動作］
次に、上述に説明した構成からなる本実施形態のカラオケシステムＳに用いられる広告決定サーバ５の動作及び作用について、図面を参照して説明する。まず、図７を用いて、広告決定サーバ５のメイン処理を説明する。図７は、広告決定サーバ５のメイン処理の処理手順を示すフローチャートである。なお、広告決定サーバ５にメイン動作を実行させるプログラムは、記憶部５３の所定の記憶領域に記憶されている。広告決定サーバ５のメイン処理は、広告決定サーバ５が電源またコンセントを介して商用電源などの外部電源と接続されることにより、実行される。以下に示す処理は、広告決定サーバ５の制御部５２により実行される。
【００７０】
まず、図７に示す広告決定サーバ５のメイン処理では、ステップＳ５０１で、再生順序リストが取得される。再生順序リストは、広告決定サーバ５の記憶部５３の再生順序リスト記憶領域５３５から取得される。再生順序リストは、複数の広告コンテンツをディスプレイ５４に再生させる順番が、所定期間ごとに定められたリストである。再生順序リスト記憶領域５３５に記憶される再生順序リストは、センターサーバ４から配信される。センターサーバ４から配信される時点での再生順序リストは、カラオケシステムＳを利用するカラオケ店舗ＫＳに関わらず広告コンテンツの再生順序が一律に定められている。
【００７１】
ステップＳ５０２では、広告コンテンツの更新が、必要か否かが判断される。ステップＳ５０２では、広告決定サーバ５が、センターサーバ４へ問い合わせ、センターサーバ４に新たな広告コンテンツの投入がされているかが判断される。センターサーバ４に新たな広告コンテンツの投入がされたと判断されると、広告コンテンツの更新が必要であると判断される（ステップＳ５０２：ＹＥＳ）。広告コンテンツの更新が必要であると判断されるとき、ステップＳ５０３の処理が実行される。センターサーバ４に新たな広告コンテンツの投入がされたと判断されないと、広告コンテンツの更新が不要であると判断される（ステップＳ５０２：ＮＯ）。広告コンテンツの更新が不要であるとき、ステップＳ５０８の処理が実行される。
【００７２】
ステップＳ５０３では、センターサーバ４から、新たな広告コンテンツが取得される。取得した広告コンテンツは、既に取得済の広告コンテンツと共に、記憶部５３の広告コンテンツ記憶領域５３１に記憶される。
【００７３】
ステップＳ５０４では、取得した広告コンテンツに対応づけられている広告コンテンツ属性情報を、センターサーバ４の広告記憶部４３の広告コンテンツ対象属性記憶領域４３２から取得する。取得された広告コンテンツ属性情報は、広告コンテンツに対応付けて、広告コンテンツ対象属性記憶領域５３２に記憶される。
【００７４】
ステップＳ５０５では、カラオケ装置２に問い合わせることにより、楽曲の再生が予約されているか否かが判断される。楽曲の再生が予約されていると判断されると（ステップＳ５０５：ＹＥＳ）、ステップＳ５０６の処理が実行される。楽曲の再生が予約されていると判断されないと（ステップＳ５０５：ＮＯ）、ステップＳ５２３の処理が実行される。
【００７５】
ステップＳ５０６では、カラオケ装置２から予約リストが取得される。取得された予約リストは、記憶部５３の予約リスト記憶領域５３４に記憶される。ステップＳ５０６において記憶される予約リストは、例えば、図４（ｂ）または図４（ｄ）に示すように、予約された楽曲の楽曲識別情報と、楽曲識別情報に対応する楽曲属性情報と、楽曲を予約したユーザとを含む。ステップＳ５０６が実行されると、ステップＳ５１０の処理が行われる。
【００７６】
ステップＳ５１０では、楽曲属性広告決定処理が実行される。図８は、楽曲属性広告決定処理の処理手順を示すフローチャートである。以下、図８を用いて、楽曲属性広告決定処理のステップＳ５１０２〜ステップＳ５１１２の処理を説明する。
【００７７】
ステップＳ５１０２では、予約リストの楽曲について、ステップＳ５０６において記憶された予約リストにしたがって、すべての楽曲属性情報の年情報および性別情報が共通するか否かが判断される。予約リストの楽曲の年情報と性別情報とが共通すると判断されると（ステップＳ５１０２：ＹＥＳ）、ステップＳ５１０３の処理が実行される。予約リストの楽曲の年情報と性別情報とが共通すると判断されないと（ステップＳ５１０２：ＮＯ）、ステップＳ５１０５の処理が実行される。
【００７８】
ステップＳ５１０３では、ステップＳ５１０２の処理において予約リストのすべての楽曲の年情報と性別情報とが共通すると判断されるとき、広告コンテンツを提示する対象ユーザが、予約リストの楽曲の年情報が示す年代、且つ楽曲の性別情報が示す性別の特定ユーザと決定される。
【００７９】
ステップＳ５１０４では、広告対象が特定ユーザである広告コンテンツのうち、ステップＳ５１０２において共通すると判断された年代および性別が対応付けられた広告コンテンツが、ユーザに提示する広告コンテンツと決定される。例えば、ステップＳ５１０３において、対象ユーザの年代が「３０歳代」であり、性別が「女性」である特定ユーザと決定されたとき、図３（ｃ）に示す広告コンテンツにおいて、広告対象１が「特定ユーザ」であるもののうち、年齢層が「３０歳代」であり、性別が「女性」である「広告４」の広告コンテンツが決定される。
【００８０】
ステップＳ５１０５では、予約リストの楽曲について、ステップＳ５１０２において予約リストのすべての楽曲属性情報の年情報および性別情報が共通すると判断されなかったとき、楽曲属性情報の年情報が共通するか否かが判断される。予約リストの楽曲の年情報が共通すると判断されると（ステップＳ５１０５：ＹＥＳ）、ステップＳ５１０６の処理が実行される。予約リストの楽曲の年情報が共通すると判断されないと（ステップＳ５１０５：ＮＯ）、ステップＳ５１０８の処理が実行される。
【００８１】
ステップＳ５１０６では、ステップＳ５１０５の処理において予約リストの楽曲の年情報が共通すると判断されるとき、広告コンテンツを提示する対象ユーザが、予約リストの楽曲の年情報が示す年代の特定ユーザと決定される。
【００８２】
ステップＳ５１０７では、広告対象が特定ユーザである広告コンテンツのうち、ステップＳ５１０５において共通すると判断された年代が対応付けられた広告コンテンツが、ユーザに提示する広告コンテンツと決定される。例えば、予約リスト記憶領域５３４に図４（ｂ）に示す予約リストが記憶されており、ステップＳ５１０６において、対象ユーザの年代が「１０歳代」である特定ユーザと決定されたとき、図３（ｃ）に示す広告コンテンツにおいて、広告対象１が「特定ユーザ」であるもののうち、年齢層が「１０歳代」である「広告３」の広告コンテンツが決定される。
【００８３】
ステップＳ５１０８では、予約リストの楽曲について、ステップＳ５１０２において予約リストのすべての楽曲属性情報の年情報および性別情報がすべて共通すると判断されず、ステップＳ５１０５においてすべての楽曲属性情報の年情報が共通すると判断されなかったとき、楽曲属性情報の性別情報が共通するか否かが判断される。予約リストの楽曲の性別情報が共通すると判断されると（ステップＳ５１０８：ＹＥＳ）、ステップＳ５１０９の処理が実行される。予約リストの楽曲の性別情報が共通すると判断されないと（ステップＳ５１０８：ＮＯ）、ステップＳ５１１１の処理が実行される。
【００８４】
ステップＳ５１０９では、ステップＳ５１０８の処理において予約リストの楽曲の性別情報が共通すると判断されるとき、広告コンテンツを提示する対象のユーザが、予約リストの楽曲の性別情報が示す性別の特定ユーザと決定される。
【００８５】
ステップＳ５１１０では、広告対象が特定ユーザである広告コンテンツのうち、ステップＳ５１０８において共通すると判断された性別が対応付けられた広告コンテンツが、ユーザに提示する広告コンテンツと決定される。例えば、ステップＳ５１０９において、対象ユーザの性別が「女性」である特定ユーザと決定されたとき、図３（ｃ）に示す広告コンテンツにおいて、広告対象１が「特定ユーザ」であるもののうち、性別が「女性」である「広告５」の広告コンテンツが決定される。
【００８６】
ステップＳ５１１１では、ステップＳ５１０２において予約リストのすべての楽曲属性情報の年情報および性別情報が共通すると判断されず、ステップＳ５１０５において楽曲属性情報の年情報が共通すると判断されず、ステップＳ５１０８において楽曲属性情報の性別情報が共通すると判断されなかったとき、すなわち、楽曲属性情報の年情報および性別情報が共通しないとき、広告コンテンツを提示する対象ユーザが、混合ユーザと決定される。ステップＳ５１１１において、対象ユーザが混合ユーザと決定されるとき、予約リストの楽曲は、その楽曲を好むユーザの年情報および性別情報が共通しない複数の楽曲である。ステップＳ５１１１において混合ユーザと決定される予約リストは、特定の年代および性別のユーザが好む楽曲に限らない予約リストである。このような予約リストの楽曲を予約するユーザは、特定の年代および性別に限らない複数のユーザである可能性がある。
【００８７】
ステップＳ５１１２では、広告対象が混合ユーザである広告コンテンツが、ユーザに提示する広告コンテンツと決定される。例えば、予約リスト記憶領域５３４に図４（ｄ）に示す予約リストが記憶されており、ステップＳ５１１１において、対象ユーザが混合ユーザと決定されたとき図３（ｃ）に示す広告コンテンツにおいて、広告対象１が「混合ユーザ」である「広告２」の広告コンテンツが決定される。
【００８８】
ステップＳ５１０４、ステップＳ５１０７、ステップＳ５１１０、ステップＳ５１１２のいずれかの処理が実行されると、メイン処理のステップＳ５１１の処理が実行される。
【００８９】
ステップＳ５１１では、予約リスト記憶領域５３４に記憶された予約リストの楽曲に、ログインユーザにより予約された楽曲があるか否かが判断される。予約リストの楽曲に、ログインユーザにより予約された楽曲があると判断されると（ステップＳ５１１：ＹＥＳ）、ステップＳ５２０の処理が行われる。予約リストの楽曲に、ログインユーザにより予約された楽曲があると判断されないと（ステップＳ５１１：ＮＯ）、ステップＳ５２１の処理が行われる。
【００９０】
ステップＳ５２０では、ユーザ属性広告決定処理が実行される。図９は、ユーザ属性広告決定処理の処理手順を示すフローチャートである。以下、図９を用いて、ユーザ属性広告決定処理のステップＳ５２０１〜ステップＳ５２１８の処理を説明する。
【００９１】
ステップＳ５２０１では、カラオケ装置２から、記憶部２３のログイン情報記憶領域２３１に記憶されたログイン情報が取得される。取得されたログイン情報は、ステップＳ５０６において取得され、予約リスト記憶領域５３４に記憶された予約リストの楽曲を予約したユーザを示すユーザＩＤと対応付けて、予約リスト記憶領域５３４に記憶される。例えば、ステップＳ５０６において図４（ｂ）に示す予約リストが取得されるとき、予約リスト記憶領域５３４には、ステップＳ５２０１の処理により、図４（ｃ）に示すように予約リストにログイン情報が対応付けられて記憶される。ステップＳ５０６において図４（ｄ）に示す予約リストが取得されるとき、予約リスト記憶領域５３４には、ステップＳ５２０１の処理により、図４（ｅ）に示すように予約リストにログイン情報が対応付けられて記憶される。
【００９２】
ステップＳ５２０２では、予約リストの楽曲がすべて、ログインユーザにより予約された楽曲であるか否かが判断される。予約リストの楽曲がすべて、ログインユーザにより予約された楽曲であると判断されると（ステップＳ５２０２：ＹＥＳ）、ステップＳ５２０３の処理が実行される。予約リストの楽曲がすべて、ログインユーザにより予約された楽曲であると判断されないと（ステップＳ５２０２：ＮＯ）、ステップＳ５２０７の処理が実行される。予約リストの楽曲がすべて、ログインユーザにより予約された楽曲であると判断されないとき、予約リストの楽曲を予約するユーザには、ゲストユーザが含まれる。
【００９３】
ステップＳ５２０３では、予約リストの楽曲がすべて、一人のログインユーザにより予約されているか否かが判断される。予約リストの楽曲がすべて、一人のログインユーザにより予約されていると判断されると（ステップＳ５２０３：ＹＥＳ）、ステップＳ５２０４の処理が実行される。予約リストの楽曲がすべて、一人のログインユーザにより予約されていると判断されないと（ステップＳ５２０３：ＮＯ）、ステップＳ５２０６の処理が実行される。予約リストの楽曲がすべて、一人のログインユーザにより予約されていると判断されないとき、予約リストの楽曲は、複数のログインユーザにより予約されている。
【００９４】
ステップＳ５２０４では、ステップＳ５２０３において、予約リストの楽曲がすべて、一人のログインユーザにより予約されていると判断されたとき、広告コンテンツを提示する対象のユーザが、特定ユーザであり、且つ、個人であると決定される。
【００９５】
ステップＳ５２０５では、広告対象が特定ユーザ、且つ特定個人である広告コンテンツのうち、ステップＳ５２０３において判断されたログインユーザの年齢が相当する年代および性別が対応付けられた広告コンテンツが、ログインユーザに提示する広告コンテンツと決定される。例えば、ステップＳ５２０３において判断された楽曲を予約したログインユーザが、図４（ａ）に示すログインユーザのうち、ユーザＩＤ「ｕｓｅｒＷ」であり、ステップＳ５２０４において、広告対象が特定ユーザ、且つ個人であると判断されたとき、図３（ｃ）に示す広告コンテンツにおいて、広告対象１が「特定ユーザ」であり、且つ広告対象２が「特定個人」である広告コンテンツであって、ユーザＩＤ「ｕｓｅｒＷ」の年齢「１８歳」および性別「男性」に対応する「広告１」の広告コンテンツが決定される。
【００９６】
ステップＳ５２０６では、ステップＳ５２０１の処理においてログインユーザのユーザ属性情報が記憶された予約リスト記憶領域５３４から、予約リストの楽曲を予約したログインユーザのユーザ属性情報が読み出される。
【００９７】
ステップＳ５２０７では、ステップＳ５２０１の処理においてログインユーザのユーザ属性情報が記憶された予約リスト記憶領域５３４から、予約リストの楽曲を予約したログインユーザのユーザ属性情報と、ゲストユーザにより予約された楽曲の楽曲属性情報とが、読み出される。
【００９８】
ステップＳ５２０８では、予約リストについて、ステップＳ５２０６またはステップＳ５２０７において読み出された予約リストのログインユーザのユーザ属性情報と、ゲストユーザが予約した楽曲の楽曲属性情報とにしたがって、年情報および性別情報が共通するか否かが判断される。読み出された年情報と性別情報とが共通すると判断されると（ステップＳ５２０８：ＹＥＳ）、ステップＳ５２０９の処理が実行される。読み出された年情報と性別情報とが共通すると判断されないと（ステップＳ５２０８：ＮＯ）、ステップＳ５２１１の処理が実行される。
【００９９】
ステップＳ５２０９では、ステップＳ５２０８の処理においてすべての年情報と性別情報とが共通すると判断されるとき、広告コンテンツを提示する対象ユーザが、予約リストのログインユーザのユーザ属性情報と、ゲストユーザが予約した楽曲の楽曲属性情報との年情報が示す年代、且つ性別情報が示す性別の特定グループと決定される。
【０１００】
ステップＳ５２１０では、広告対象が特定ユーザである広告コンテンツのうち、ステップＳ５２０８において一致すると判断された年代および性別が対応付けられた広告コンテンツが、ユーザに提示する広告コンテンツと決定される。例えば、予約リスト記憶領域５３４に図４（ｅ）に示す予約リストが記憶されており、ステップＳ５２０９において、対象ユーザの年代が「３０歳代」であり、性別が「女性」である特定グループと決定されたとき、図３（ｃ）に示す広告コンテンツにおいて、広告対象１が「特定ユーザ」であり、且つ広告対象２が「特定グループ」であるもののうち、年齢層が「３０歳代」であり、性別が「女性」である「広告４」の広告コンテンツが決定される。
【０１０１】
ステップＳ５２１１では、予約リストについて、ステップＳ５２０８において予約リストのすべての年情報および性別情報が共通すると判断されなかったとき、ステップＳ５２０６またはステップＳ５２０７において読み出された予約リストのログインユーザのユーザ属性情報と、ゲストユーザが予約した楽曲の楽曲属性情報とにしたがって、予約リストの年情報が共通するか否かが判断される。予約リストの年情報が共通すると判断されると（ステップＳ５２１１：ＹＥＳ）、ステップＳ５２１２の処理が実行される。予約リストの年情報が共通すると判断されないと（ステップＳ５２１１：ＮＯ）、ステップＳ５２１４の処理が実行される。
【０１０２】
ステップＳ５２１２では、ステップＳ５２１１の処理において予約リストの年情報が共通すると判断されるとき、広告コンテンツを提示する対象ユーザが、予約リストの楽曲の年情報が示す年代の特定グループと決定される。
【０１０３】
ステップＳ５２１３では、広告対象が特定ユーザである広告コンテンツのうち、ステップＳ５２１１において共通すると判断された年代が対応付けられた広告コンテンツが、ユーザに提示する広告コンテンツと決定される。例えば、ステップＳ５２１２において、対象ユーザの年代が「１０歳代」である特定グループと決定されたとき、図３（ｃ）に示す広告コンテンツにおいて、広告対象１が「特定ユーザ」であり、且つ広告対象２が「特定グループ」であるもののうち、年齢層が「１０歳代」である「広告３」の広告コンテンツが決定される。
【０１０４】
ステップＳ５２１４では、予約リストについて、ステップＳ５２０８において予約リストのすべての年情報および性別情報が共通するとは判断されず、ステップＳ５２１１において予約リストの年情報が共通すると判断されなかったとき、ステップＳ５２０６またはステップＳ５２０７において読み出された予約リストのログインユーザのユーザ属性情報と、ゲストユーザが予約した楽曲の楽曲属性情報とにしたがって、予約リストの性別情報が共通するか否かが判断される。予約リストの性別情報が共通すると判断されると（ステップＳ５２１４：ＹＥＳ）、ステップＳ５２１５の処理が実行される。予約リストの性別情報が共通すると判断されないと（ステップＳ５２１４：ＮＯ）、ステップＳ５２１７の処理が実行される。
【０１０５】
ステップＳ５２１５では、ステップＳ５２１４の処理において予約リストの性別情報が共通すると判断されるとき、広告コンテンツを提示する対象ユーザが、予約リストの楽曲の性別情報が示す性別の特定グループと決定される。
【０１０６】
ステップＳ５２１６では、広告対象が特定ユーザである広告コンテンツのうち、ステップＳ５２１４において共通すると判断された性別が対応付けられた広告コンテンツが、ユーザに提示する広告コンテンツと決定される。例えば、ステップＳ５２１５において、対象ユーザの性別が「女性」である特定グループと決定されたとき、図３（ｃ）に示す広告コンテンツにおいて、広告対象１が「特定ユーザ」であり、且つ広告対象２が「特定グループ」であるもののうち、性別が「女性」である「広告５」の広告コンテンツが決定される。
【０１０７】
ステップＳ５２１７では、ステップＳ５２０８において予約リストのすべて年情報および性別情報が共通するとは判断されず、ステップＳ５２１１において予約リストの年情報が共通すると判断されず、ステップＳ５２１４において予約リストの性別情報が共通すると判断されなかったとき、すなわち、ステップＳ５２０６またはステップＳ５２０７において読み出された予約リストのログインユーザのユーザ属性情報と、ゲストユーザが予約した楽曲の楽曲属性情報とに基づく予約リストの年情報および性別情報が共通しないとき、広告コンテンツを提示する対象ユーザが、混合ユーザと決定される。ステップＳ５２１７において、対象ユーザが混合ユーザと決定されるとき、予約リストの楽曲は、楽曲を予約するユーザの年情報および性別情報が共通しない複数の楽曲である。ステップＳ５２１７において混合ユーザと決定される予約リストは、特定の年代および性別のユーザが好む楽曲に限らない予約リストである。このような予約リストの楽曲を予約するユーザは、特定の年代および性別に限らない複数のユーザである可能性がある。
【０１０８】
ステップＳ５２１８では、広告対象が混合ユーザである広告コンテンツが、ユーザに提示する広告コンテンツと決定される。例えば、予約リスト記憶領域５３４に図４（ｃ）に示す予約リストが記憶されており、ステップＳ５２１７において、対象ユーザが混合ユーザと決定されたとき、図３（ｃ）に示す広告コンテンツにおいて、広告対象１が「混合ユーザ」である「広告２」の広告コンテンツが決定される。
【０１０９】
ステップＳ５２０５、ステップＳ５２１０、ステップＳ５２１３、ステップＳ５２１６、ステップＳ５２１８のいずれかの処理が実行されると、メイン処理のステップＳ５２１の処理が実行される。
【０１１０】
ステップＳ５２１では、ステップＳ５１０の楽曲属性広告決定処理、またはステップＳ５２０のユーザ属性広告決定処理において決定された広告対象に合致する広告コンテンツが、広告コンテンツ記憶領域５３１に記憶されているか否かが判断される。決定された広告対象と合致する広告コンテンツが、広告コンテンツ記憶領域５３１に記憶されていると判断されると（ステップＳ５２１：ＹＥＳ）、ステップＳ５２２の処理が実行される。決定された広告対象と合致する広告コンテンツが、広告コンテンツ記憶領域５３１に記憶されていると判断されないと（ステップＳ５２１：ＮＯ）、ステップＳ５２３の処理が実行される。
【０１１１】
ステップＳ５２２では、ステップＳ５２１において広告コンテンツ記憶領域５３１に記憶されていると判断された広告対象と合致する広告コンテンツを、ディスプレイ５４に表示する指示がされる。ディスプレイ５４には、ステップＳ５１０の楽曲属性広告決定処理、またはステップＳ５２０のユーザ属性広告決定処理において決定された広告対象の広告コンテンツが表示される。ステップＳ５２２では、ステップＳ５１０の楽曲属性広告決定処理により、広告コンテンツが決定されている場合であっても、続くステップＳ５１１の処理においてログインユーザから楽曲が予約されたと判断され、ステップＳ５２０のユーザ属性広告決定処理が実行されたときは、ユーザ属性広告決定処理において決定された広告対象に合致する広告コンテンツを、ディスプレイ５４に表示する指示がされる。
【０１１２】
ステップＳ５２３では、ステップＳ５０１において取得された再生順序リストに従って、再生順序リストに示される複数の広告コンテンツが、ディスプレイ５４に順に表示される。ステップＳ５２３の処理が実行されると、ステップ５２４の処理が行われる。
【０１１３】
ステップＳ５０４、またはステップ５２２、またはステップＳ５２３の処理が実行されると、続いて、ステップＳ５２４の処理が実行される。ステップＳ５２４では、広告決定サーバ５の電源をオフにする指示がされたか否かが判断される。広告決定サーバ５の電源をオフにする指示がされたと判断されると（ステップＳ５２４：ＹＥＳ）、広告決定サーバ５のメイン処理が終了される。広告決定サーバ５の電源をオフにする指示がされたと判断されないと（ステップＳ５２４：ＮＯ）、ステップＳ５０１の処理が繰り返し実行される。
【０１１４】
[本発明の構成と本実施形態との対応］
本実施形態において、カラオケ装置２が、本発明のカラオケ装置の一例である。本実施形態の広告決定サーバ５が、広告決定装置の一例である。本実施形態の広告決定サーバ５の制御部５２によりメイン処理を実行させるプログラムが、本発明の広告決定プログラムの一例であり、本実施形態の広告決定サーバ５により実行される処理が、本発明の広告決定方法の一例である。本実施形態において、リモコン１によりカラオケシステムＳへログインしたユーザであるユーザ画像Ａ１〜Ａ３に示すユーザ、およびｕｓｅｒＷ、ｕｓｅｒＸ、ｕｓｅｒＹ、ｕｓｅｒＺに示すユーザが、本発明のログインユーザの一例であり、リモコン１によりカラオケシステムＳへログインしていないユーザ画像Ａ４に示すユーザおよびゲストユーザが、本発明のゲストユーザの一例である。また、本実施形態におけるユーザ画像Ａ１〜Ａ４に示すユーザが、本発明のカラオケ装置を利用する利用ユーザの一例である。
【０１１５】
本実施形態において、広告決定サーバ５の記憶部５３が、本発明の記憶部の一例である本実施形態の広告コンテンツが、本発明の広告情報の一例である。広告決定サーバ５の制御部５２により、記憶部５３に広告コンテンツと、広告コンテンツの対象属性とを記憶することが、本発明の記憶手段の一例である。本実施形態の広告コンテンツに対応付けられる広告対象１および広告対象２が、本発明の広告情報を提示する対象ユーザを示す対象属性の一例である。本実施形態の広告対象１に記憶される混合ユーザまたは特定ユーザが、本発明の混合ユーザまたは特定ユーザの一例であり、本実施形態の広告対象２に記憶される特定グループまたは特定個人が、本発明の特定グループユーザまたは特定個人ユーザの一例である。
【０１１６】
本実施形態の制御部５２が、本発明の取得部の一例であり、制御部５２の処理により、予約された楽曲の楽曲識別情報と、楽曲識別情報に対応する楽曲属性情報と、楽曲を予約したユーザと、ユーザの属性情報とが取得されることが、本発明の予約リストを取得する取得手段の一例である。本実施形態の制御部５２の処理により取得され、記憶部５３の予約リスト記憶領域５３４に記憶される予約リストが、本発明の楽曲リストの一例である。本実施形態の制御部５２が、本発明のユーザ判断部の一例であり、本実施形態の制御部５２の処理により、予約リストの年情報および性別情報により、広告対象が混合ユーザであるか特定ユーザであるかが判断されることが、本発明のユーザ判断手段の一例である。本実施形態の制御部５２が、本発明の決定部の一例であり、本実施形態の制御部５２の処理により、ユーザに提示する広告コンテンツが決定されることが、本発明の決定手段の一例である。
【０１１７】
本実施形態の楽曲を好むユーザの年代、楽曲を好むユーザの性別、楽曲を予約するユーザの性別、および楽曲を予約するユーザの年代が、本発明の楽曲に関連するユーザの属性の一例であり、本実施形態のユーザの年代を示す年情報およびユーザの性別を示す性別情報が、本発明の予約属性情報の一例である。具体的には、本実施形態の楽曲の楽曲識別情報に対応付けられた楽曲属性情報の年情報および性別情報が、本発明の楽曲を好むユーザの属性を示す楽曲属性情報の一例である。本実施形態のユーザＩＤに対応付けられるユーザの属性情報である年情報および性別情報が、本発明のユーザ属性情報の一例である。本実施形態の制御部５２が、本発明の属性判断部の一例である。
【０１１８】
本実施形態では、広告を提示する対象ユーザが、混合ユーザであるか、特定ユーザであるかは、予約リストの複数の楽曲に対応付けられる年情報および性別が共通するか否かを判断することにより、決定されていたが、これに限らない。本実施形態においても、広告決定サーバ５により実行される処理のユーザ属性広告決定処理のステップＳ５２０２およびステップＳ５０２３の処理における判断で否定される、すなわち、予約リストの楽曲を予約した利用ユーザに、ゲストユーザがいるとき、広告を提示する対象ユーザは、特定個人ではないと判断されてもよい。また、本実施形態では、予約リストの楽曲に関連する利用ユーザの属性を示す情報は、年情報と、性別情報とであったが、これに限らない。利用ユーザの歌唱履歴や、趣味、音楽のジャンルなどの嗜好情報を属性としてもよい。
【０１１９】
また、広告を提示する対象ユーザを決定するために用いられる予約リストは、カラオケ装置２に予約されている楽曲すべてから判断されなくてもよい。カラオケ装置２に予約された楽曲のうち、複数曲により判断されてもよい。例えば、カラオケ装置２に再生されている楽曲の前後に再生される予約がされた楽曲に対応付けられた楽曲属性情報または楽曲を予約したユーザ属性情報から、ディスプレイ５４に表示させる広告を提示する対象ユーザが判断されてもよい。
【０１２０】
また、本実施形態において、広告決定サーバ５は、ステップＳ５５１の処理において、決定された広告対象と合致する広告コンテンツが、広告決定サーバ５の記憶部５３の広告コンテンツ記憶領域５３１に記憶されていると判断されないとき、ステップＳ５２３の処理が実行されるが、これに限らない。例えば、ステップＳ５５１の処理において、決定された広告対象と合致する広告コンテンツが、広告決定サーバ５の記憶部５３の広告コンテンツ記憶領域５３１に記憶されていると判断されない場合に、広告コンテンツを管理するセンターサーバ４に、決定された広告対象と合致する広告コンテンツが記憶されているかが問い合わされ、センターサーバ４から決定された広告対象と合致する広告コンテンツが取得されてもよい。そして、センターサーバ４の広告記憶部４３の広告コンテンツ記憶領域４３１に記憶されているとも判断されないとき、ステップＳ５２３の処理が実行されてもよい。
【０１２１】
本実施形態では、広告コンテンツの対象属性として、広告対象１及び広告対象２に広告対象を示す対象ユーザが示されていたが、広告対象を判断する条件は、これに限らない。例えば、広告コンテンツに対応付けられた属性情報に指定される種類の数が多い順に、特定個人、特定グループ、混合ユーザと、広告を提示する対象ユーザが区別されてもよい。
【符号の説明】
【０１２２】
Ｓ  カラオケシステム
１  リモコン
２  カラオケ装置
４  センターサーバ
５  広告決定サーバ
５２  制御部
５４  ディスプレイ
【図１】
2013250398.tif 000003
【図２】
2013250398.tif 000004
【図３】
2013250398.tif 000005
【図４】
2013250398.tif 000006
【図５】
2013250398.tif 000007
【図６】
2013250398.tif 000008
【図７】
2013250398.tif 000009
【図８】
2013250398.tif 000010
【図９】
2013250398.tif 000011